(57)【特許請求の範囲】
【請求項１】
弾性的に開脚してカーテンポール（Ｐ）に嵌合可能な樹脂製の嵌合部（６）と、前記嵌合部の上部に配設されて上からリングランナ（Ｑ）を嵌めることができる係止部（７）とを備え、前記嵌合部は、前記カーテンポールに上方から弾性的に嵌合し、前記係止部は、上から嵌めた前記リングランナを前記カーテンポールに摺動不能に係止するリングランナストッパにおいて、前記嵌合部（６）と前記係止部（７）は一体であって、円弧状に形成されて内径が前記カーテンポール（Ｐ）の外径より僅かに小さく形成された樹脂製の２つの板部材（２、２）から成り、前記板部材は、平行に前記リングランナ（Ｑ）を挟むように離隔して両端部（３、３）で結合することを特徴とするリングランナストッパ。
【請求項２】
前記板部材（２）の上部に上方に突出する突起（４）を設けたことを特徴とする、請求項１に記載のリングランナストッパ。
【発明の詳細な説明】
【０００１】
【発明の属する技術分野】
本発明は、リングランナストッパ、詳しくは、カーテンをカーテンポールに吊着するリングランナを、カーテンポール上において移動しないように保持するためのストッパに関する。
【０００２】
【従来の技術】
従来、カーテンをカーテンポールに吊着するためのリングランナをカーテンポールに取り付ける場合には、カーテンポール取付けブラケットを最端のリングランナと最端から２番目のリングランナとの間に取付けて、カーテンを閉めるときに最端のリングランナがブラケットに係止して、カーテンの端がそれ以上横に引きずられないようにしている。また、カーテンポールの先端に取り付けられるエンドキャップによりこの最端のリングランナを係止して、カーテンポールから脱落しないようにしている。
【０００３】
【発明が解決しようとする課題】
しかしながら、このように従来は、カーテンを閉めたときに最端のリングランナをカーテンポール取付けブラケットで係止して、カーテンの端がそれ以上横に引きずられないようにしているため、ブラケットの取付け位置が窓面の外側に限定されてしまい、例えば、カーテン端部の１プリーツ間において自由に選択することができないという問題がある。また、エンドキャップにより最端のリングランナがカーテンポールから脱落しないようにしているため、エンドキャップに径を大きくする等の脱落防止のための形状を与えなければならず、意匠性が求められるエンドキャップのデザイン上の大きな制約となっている。
【０００４】
本発明はこのような問題を解決するためになされたもので、カーテンポール取付けブラケットの取付位置を自由に選択できるようにし、また、上述したエンドキャップのデザイン上の制約を解消することができるリングランナストッパを提供することを課題とする。
【０００５】
【課題を解決するための手段】
上述の課題を解決するために、本発明のリングランナストッパは、弾性的に開脚してカーテンポールに嵌合可能な樹脂製の嵌合部と、嵌合部の上部に配設されて上からリングランナを嵌めることができる係止部とを備え、嵌合部は、カーテンポールに上方から弾性的に嵌合し、係止部は、上から嵌めたリングランナをカーテンポールに摺動不能に係止する。本手段により、リングランナをカーテンポール取付けブラケットで係止する必要がなくなり、また、エンドキャップによりリングランナの脱落を防止する必要もなくなる。
【０００６】
例えば、上記嵌合部と係止部は一体であって、円弧状に形成されて内径がカーテンポールの外径より僅かに小さく形成された樹脂製の２つの板部材から成り、この板部材は、平行にリングランナを挟むように離隔して両端部で結合する。また、板部材の上部に上方に突出する突起を設けることもできる。
【０００７】
【発明の実施の形態】
以下に、本発明に係るリングランナストッパを、図１ないし図３を参照して詳細に説明する。
図１に示すように、リングランナストッパ１は、弾性に富んだ樹脂により形成され、内径がカーテンポールＰの外径よりも僅かに小さく形成された円弧状の２つの板部材２、２を平行に、軸方向に延びる２つの結合部材５、５で、その両端部３、３において夫々結合した形状を有する。図２に示すように、この２つの板部材２、２は、リングランナＱを両側から挟むことができるような幅を設けて結合される。図１に示すように、板部材２、２の上部に、上方に突出する板状の突起４を夫々設ける。この結合部材５、５で結合され突起４、４を有する２つの板部材２、２により、カーテンポールＰに嵌合する嵌合部６と、リングランナＱを係止する係止部７とが一体に形成される。
【０００８】
本リングランナストッパ１は、次のように使用される。
図１に示すリングランナストッパ１の両端部３、３を弾性的に開脚し、嵌合部６をカーテンポールＰに上方から嵌合して、図２に示すように、リングランナストッパ１をカーテンポールＰに嵌合する。リングランナストッパ１は、内径がカーテンポールＰの外径よりも僅かに小さく形成されているので、弾性だけで確実にカーテンポールＰに抱きつき固定される。カーテンＣを吊着する最端のカーテンポール用リングランナＱのリング部Ｒを、リングランナストッパ１の係止部７に上から嵌める。これにより、リングランナＱがカーテンポールＰに摺動不能に係止される。
【０００９】
このようにリングランナストッパ１が最端のリングランナＱを係止するから、カーテンポールＰの取付ブラケットＢの取付位置を必ずしも窓面の外側に限定する必要がなくなり、例えば、カーテンＣの端部の１プリーツ間において自由に選択することができる。また、最端のリングランナＱがエンドキャップＥからの脱落することを考慮する必要がないので、例えば、図２に示すように、エンドキャップＥの外径をリングランナＱのリング部Ｒの内径より小さく細長に形成することもでき、リングランナを係止するために必要とされたデザイン上の制約を解消することができる。
【００１０】
図３に示すように、リングランナＱが傾いた場合には、特にリングランナストッパ１の突起４がリング部Ｒを有効に係止する。突起４がなく、板部材２の外形が全周にわたり円弧状に形成されている場合には、リングランナＱが傾いた時に、リング部Ｒが係止部７を乗り越えて外れるおそれがある。しかし、本リングランナストッパ１によれば、突起４を設けて上部だけを周りより一段高くしたから、リングランナＱが傾いてもリング部Ｒが係止部７から外れることはない。
【００１１】
【発明の効果】
以上詳細に説明したように、本発明のリングランナストッパは、弾性的に開脚してカーテンポールを嵌合可能な樹脂製の嵌合部と、嵌合部の上部に配設されて上からリングランナを嵌めることができる係止部とを備え、嵌合部は、カーテンポールに上方から弾性的に嵌合し、係止部は、上から嵌めたリングランナをカーテンポールに摺動不能に係止する。これにより、リングランナをカーテンポール取付けブラケットによって係止する必要がなくなり、カーテンポール取付けブラケットの取付位置を自由に選択することができるようになると共に、エンドキャップを用いてリングランナの脱落を防止する必要もなくなり、リングランナを係止するために必要とされたエンドキャップのデザイン上の制約を解消することができるという優れた効果を奏する。
【図面の簡単な説明】
【図１】本発明に係るリングランナストッパを示す斜視図である。
【図２】図１のリングランナストッパの使用例を示す正面図である。
【図３】図２のリングランナストッパがリングランナを係止する別の状態を示す正面断面図である。
【符号の説明】
１  リングランナストッパ、２  板部材、３  端部、４  突起、５  結合部材、６  嵌合部、７  係止部、Ｂ  ブラケット、Ｃ  カーテン、Ｅ  エンドキャップ、Ｐ  カーテンポール、Ｑ  リングランナ、Ｒ  リング部
【図１】
0003818343.tif 000002
【図２】
0003818343.tif 000003
【図３】
0003818343.tif 000004